(57)【要約】【課題】  飼い主であった施主が携帯端末からインターネット経由でペット霊園サイトに接続し、比較的容易に亡きペットの法事を営んで該ペットをプライベートに供養する。【解決手段】    サイト登録によって施主となると、施主の好みに応じてあらかじめ祭壇の画像を選定するとともに、選定済みの祭壇を携帯端末の液晶表示枠に収まるように表示する際に、ペットの画像を祭壇の画像内に嵌め込み、且つペットの返礼台詞が登録データに基づいて選出され、この返礼台詞をアクセス時および／または各選択処理の終了時に擬似的に画面表示または音声出力する。【選択図】図３
2005352941.tif 000002
【特許請求の範囲】
【請求項１】
亡くなったペットを専ら携帯端末においてプライベートに供養する方法であって、サイト登録によって施主となると、施主の好みに応じてあらかじめ祭壇の画像を選定するとともに、選定済みの祭壇を携帯端末の液晶表示枠に収まるように表示する際に、ペットの画像を祭壇の画像内に嵌め込み、且つペットの返礼台詞が登録データに基づいて選出され、この返礼台詞をアクセス時および／または各選択処理の終了時に擬似的に画面表示または音声出力するペットのバーチャル供養方法。
【請求項２】
ペットの返礼台詞は、前回アクセスからの経過期間、アクセス時間帯およびアクセス回数などに応じて異なる請求項１記載のバーチャル供養方法。
【請求項３】
ペットの画像を配置した祭壇を表示する際に、適宜選定された供花、供物、水を同時に表示し、これらは法事進行とともにバーチャル消費されるため、適宜に取り替え処理を選択する請求項１記載のバーチャル供養方法。
【請求項４】
あらかじめ施主の宗教に適応した経文，ミサ曲や賛美歌などの曲目と、これらの曲目に相応しい動画や連続画などの画面とを選定するとともに、選定済みの曲目および画面を法事進行時に画面表示または音声出力するように選択する請求項１記載のバーチャル供養方法。
【請求項５】
ペットの画像として、施主がメールで送付した亡きペットの写真または所定の動物イラストの中から選定された図柄を表示する請求項１記載のバーチャル供養方法。
【請求項６】
亡くなったペットを専ら携帯端末においてプライベートに供養する方法であって、サイト登録によって施主となると、施主の好みに応じてあらかじめ選定された祭壇を携帯端末の液晶表示枠に収まるように表示するとともに、登録データに基づいて各種・各時期のペットの送信台詞が選出され、前回アクセスから一定期間経過するとアクセス要求メールを自動配信し、且つペットの命日などの祭日に祭日確認メールを自動配信するペットのバーチャル供養方法。
【請求項７】
アクセス要求メールおよび／または祭日確認メールには、ペットの送信台詞の中に季節、気候、世相などの時事事項を加える請求項６記載のバーチャル供養方法。
【発明の詳細な説明】
【技術分野】
【０００１】
本発明は、携帯電話のような携帯端末からインターネット経由でペット霊園サイトに接続し、双方向通信によって比較的容易に所定のペットの法事を営むことにより、亡きペットへの思いを癒すことができるペットのバーチャル供養方法に関する。
【背景技術】
【０００２】
近年の日本では、家族や近所とのつき合いが希薄になり、その代わりに、ペット飼い主は、飼育する犬や猫などを自分の家族のように可愛がり、ペットの擬似家族化が進んで日々の生活をペットを中心にして過ごす人もいる。ペットの寿命が医学の進歩で急伸し、一緒に暮らす時間が長くなって飼い主とペットとの絆が深まり、ペットはますます飼い主の心のよりどころにもなっている。可愛がっていたペットが死亡すると、飼い主の精神的ショックが大きく、ペットの死の悲しみから立ち直るためにペットの葬儀を営み、さらに定期的に法事を挙行して亡きペットの供養をしたいという飼い主が急増している。
【０００３】
法事とは、死者の追善供養のために、四十九日まで７日ごとに行う仏事と、年忌に営む仏事とを意味している。ペットの葬儀は、未だ一般的でないけれども専門の葬祭業者が増えつつあり、その挙行は比較的容易である。一方、ペットの法事については、一般の仏寺で営むことはできず、現実には元の飼い主がペットの墓にお参りしたり、身内の会合だけで済ますしかない。
【０００４】
このような現実に着目して、人間、ペット、家畜、昆虫などの生物について、葬式や供養のような各種の儀式をインターネット上で行うという方法が種々提案されている。例えば、特開２００２−２０７８３５号では、インターネットを介したホームページ上で、世界中の色々な宗教やスタイルを選択することにより、葬式、供養、お祝いまたはパーティをリアルタイムおよび／またはバーチャル上で行うことができる。また、特開２００２−９９６４１号は、従来の物理的な霊園に代わり、インターネット上で各人が自由にデザインした創作墓碑が設営し、故人やペットについて映像を合成したり、映像のほかに動画や音声データを使用して専用ページであるメモリアル・サイトを構築できる。人間用に限定すれば、特開２００３−１４１２７８号では、墓所使用権者が携帯電話でインターネット上のウェブサイトに接続し、自己のページを開いて墓参の代行を依頼でき、法要や霊祭などの実施について支援を受けたり、年忌、霊祭のような故人情報を管理するとともに墓所の点検整備も依頼できる。
【特許文献１】特開２００２−９９６４１号公報
【特許文献２】特開２００２−２０７８３５号公報
【特許文献３】特開２００３−１４１２７８号公報
【発明の開示】
【発明が解決しようとする課題】
【０００５】
特開２００２−２０７８３５号では、儀式者の映像および音声を記録して挙行儀式の中に取り込むことができるけれども、一般的な儀式が挙行されるのみであって、飼い主が亡きペットをプライベートに供養するものでなく、亡きペットからの返礼が受信できることはない。特開２００２−９９６４１号は、故人またはペットに関するインターネット上の仮想霊園サービスであり、故人やペットに関する映像、動画や音声データを表示でき、そのサイトデザインは変更することが可能であっても、サイト訪問者はアクセス後には単に閲覧するだけで、ペットからの返礼の受け取りや入力を行うこともないので単調であり、繰り返しアクセスする気持ちになれない。特開２００３−１４１２７８号は、携帯電話に用いて亡きペットの法事をバーチャルに行うものでなく、携帯電話によって法要、霊祭や墓参に関する参列予定者への通知、該法要や霊祭の通知や当日の食事の手配、墓所備品の手配などを行う霊園ビジネスの方法にすぎない。
【０００６】
亡きペットの供養を営むことは、飼い主との絆が深まり、ペットが飼い主の心のよりどころにもなっている現状において非常に要望が多いけれども、前記のようにインターネットのホームページにおいてペットの写真や仮想儀式を行っても、飼い主の気持ちは殆ど満たされない。その理由は、パソコン上のホームページは開放的なためにプライベートに供養するという気分になれず、供養される側のペットの気持ちも推し量ることができないためである。日々の生活をペットを中心にして過ごしていた人にとって、ペットの気持ちを推し量ることは重要であり、この気持ちが擬似的にでも表現されれば、ペットの供養を行ったという気分が非常に高まることになる。
【０００７】
本発明は、従来は困難であったペットの供養をバーチャルに営むために提案されたものであり、携帯端末によって飼い主であった施主が法事をプライベートに営むことができるペットのバーチャル供養方法を提供することを目的としている。本発明の他の目的は、ペットの返礼を適宜送信することにより、飼い主であった施主とペットとの一体感が高まるペットのバーチャル供養方法を提供することである。
【課題を解決するための手段】
【０００８】
本発明に係るバーチャル供養方法は、亡くなったペットを専ら携帯端末においてプライベートに供養する方法である。本発明のバーチャル供養方法では、サイト登録によって施主となると、施主の好みに応じてあらかじめ祭壇の画像を選定するとともに、選定済みの祭壇を携帯端末の液晶表示枠に収まるように表示する際に、ペットの画像を祭壇の画像内に嵌め込み、且つペットの返礼台詞が登録データに基づいて選出され、この返礼台詞をアクセス時および／または各選択処理の終了時に擬似的に画面表示または音声出力する。
【０００９】
本発明のバーチャル供養方法において、好ましくは、ペットの返礼台詞は、前回アクセスからの経過期間、アクセス時間帯およびアクセス回数などに応じて異なる。ペットの画像を配置した祭壇を表示する際に、適宜選定された供花、供物、水を同時に表示し、これらは法事進行とともにバーチャル消費されるため、適宜に取り替え処理を選択する。あらかじめ施主の宗教に適応した経文，ミサ曲や賛美歌などの曲目と、これらの曲目に相応しい動画や連続画などの画面とを選定するとともに、選定済みの曲目および画面を法事進行時に画面表示または音声出力するように選択する。また、ペットの画像として、施主がメールで送付した亡きペットの写真または所定の動物イラストの中から選定された図柄を表示する。
【００１０】
本発明に係る他のバーチャル供養方法では、サイト登録によって施主となると、施主の好みに応じてあらかじめ選択された祭壇を携帯端末の液晶表示枠に収まるように表示するとともに、登録データに基づいて各種・各時期のペットの送信台詞が選出され、前回アクセスから一定期間経過するとアクセス要求メールを自動配信し、且つペットの命日などの祭日に祭日確認メールを自動配信する。このバーチャル供養方法において、アクセス要求メールおよび／または祭日確認メールでは、ペットの送信台詞の中に季節、気候、世相などの時事事項を加えると好ましい。
【００１１】
本発明方法を図面とともに説明すると、本発明方法は、図３に例示するようなフローチャートに従ってインターネットを介してコンピュータ処理され、通常行われているようなペット供養や故人の法事を単にバーチャル化したものではなく、バーチャル化に際して独自の観点から作成されている。この観点とは、飼い主の心のよりどころであるペットは生前には人の言葉を喋ることができなくても、本発明方法における法事画面やメールでは施主に直接語りかける態様を採用し、つまり擬人化によってペットがいつも傍にいるという感覚を与え、飼い主であった施主がペットの供養を実際に行ったという気分を高める。
【００１２】
図１は、例えば、インターネット対応のｉモード（商品名、ＮＴＴ）などの携帯端末で擬似お参りできる「バーチャル霊園」であるペット霊園サイトの会員登録過程を示し、会員登録は、図５に例示するようなペットクラブのホームページから行い、登録画面および事項を図６に例示している。このペットクラブは、ペット霊園サイトを除いて、ＩＤとパスワードがなくても誰でも自由にアクセス可能であるように設定する。会員登録していない場合には、デモ・体験版機能によって閲覧だけが可能であり、ペット霊園サイトのサンプルをデモ表示することで会員登録を勧める。
【００１３】
図１において、Ｓ１１において仮会員登録すると、そのデータをＳ１２で仮会員データベースに保存する。仮会員データベースは、Ｓ１４で本会員登録があればＳ１７で本会員データベースへデータを移行させ、Ｓ１４で本会員登録がなければＳ１５で仮会員データとしてそのまま保存する。この仮会員データベースは、本会員データベースと同様に、図４に示すメール自動配信を行っても、亡きペットから本会員登録への勧誘メールを送信に利用してもよい。図示しないけれども、Ｓ１３やＳ１６の登録確認で登録を否定されれば、図１に示す登録処理を終了する。
【００１４】
ペット霊園サイトは有料であり、サイト料金は永代供養料という名目で徴収する。サイトへのアクセスが有料であることが、飼い主であった施主が亡きペットのために法事を営んだという意識をいっそう強く持ちうるものと推定できる。
【００１５】
図５から図８で明らかなように、通常、各表示画面は携帯端末の液晶画面に対応させ、その画面に入りきらない場合には適当にスクロールさせる。図１１のように携帯端末からアクセスできると、通常のデスクトップパソコンに比べて何時でもアクセスでき、他人の目を気にすることなくプライベートに供養できる。携帯端末の代わりに、市販や専用のＰＤＡ(personal digital assistant)などによってペット霊園サイトにアクセス可能に設定してもよい。会員登録やペット写真などの登録は、通常のデスクトップパソコンやノートパソコンでも設定可能にすることが望ましく、これはペット霊園サイトへのアクセスについても同様である。
【００１６】
図２は、会員登録後において供養対象とする亡きペットの新規登録のフローチャートを示し、図２の登録処理は、ペット霊園サイトにおいて図７で会員ＩＤとパスワードを記入した後に可能となる。Ｓ２１でペットの登録画面を表示し、Ｓ２２において、亡きペットの生前の名前、命日、種類、チワワやロシアンブルーのような品種名、性格、好物、戒名（ある場合のみ）などを記入させ、これらのデータは、図３の法事過程および図４のメール送信過程で利用するので正確な記載が必要である。また、ペットの写真は、ペット霊園サイトにおける別のメニューからアップロードできる。
【００１７】
登録記載事項に関し、ペットの種類は、大型犬、中型大、小型犬、猫、鳥、兎、亀、ハムスター、フェレットなどと記載し、登録すべきペット写真が残存しない場合には、祭壇に嵌め込むペット画像として、図９に示す代替イラストから該当動物のものを選択することを要する（図１０参照）。ペットの性格については、おとなしい、やんちゃ、好奇心旺盛、クール、わがまま、やさしい、人見知りなど複数記入が可能であり、その性格に応じて図４におけるメール文を選出または作成し、特殊な性格の場合にはその都度台詞データを作成して保存する。ペットの好物は、例えば、供物１（図８）として祭壇２とともに表示されるけれども、その画像としては箱だけで表現する。
【００１８】
図２において、Ｓ２３で祭壇２の全種類を表示し、Ｓ２４で適当な祭壇を選定させる。祭壇２は、例えば、図８に示すような８種類であり、図８では各祭壇を右側の嵌め込み例とともに示している。祭壇２の画像は、中央上方にペット写真を嵌め込む矩形空白３を形成し、該空白の左右に花４やしきび５、該空白の下方中央に線香立て６および左右にロウソク７，７を配置し、さらに供物１およびお椀の中の水８が配置可能である。図８に示す祭壇２は、一応は宗派別に分けてもその宗派の教義や詳細に踏み込むことはせず、８種類の内訳として、十字架付きのキリスト教系１０、しきび付きの日蓮宗系１１、3パターンの２色違い１２〜１４を有する。 この祭壇の画像や図柄は任意に変更可能であり、ペットと飼い主を並べて表示したり、携帯端末でお参りするのに相応しい花で囲まれた額縁風にしてもよい。
【００１９】
図２において、亡きペットの新規登録事項をＳ２５で確認した後に、Ｓ２６で登録ペットデータベースに保存する。選定した祭壇２などの登録事項は後日変更可能であり、ペットの写真は複数枚アップロードできる。ペットの法事を営む際の画面変化を高めるために、ペットの連続画像や動画、飼い主との写真や動画、飼い主の写真などもアップロード可能にすると好ましい。
【００２０】
図３は、施主である登録会員が亡きペットの法事を営む際のフローチャートを示し、図３の法事挙行は、ペット霊園サイトにおいて図７で会員ＩＤとパスワードを記入した後に可能となる。Ｓ３１で登録会員のデータを読み込み、この際に各ペットに関する前回アクセスの日時も読み込む。ついで登録会員の登録ペットのデータを読み込み、登録ペットが複数の場合には、ペットの名前を画面表示し（図１０（１）参照）、Ｓ３２で法事を営むペットを選出させる。供養すべきペットが選択されると、例えば、Ｓ３３において選択した祭壇２の画像内に当該ペットの写真を嵌め込んで表示する。
【００２１】
当該ペットの画像表示とともに、Ｓ３４においてペットの返礼台詞を画面表示または音声出力し、両者を同時に行うことも可能である（図１０（２）参照）。この返礼台詞は、当該ペットに関する前回アクセスの日時および今回アクセスした時刻に応じて５パターン定め、その一例を下記に示す。
【００２２】
前回アクセスの日時から経過時間に関し、
０〜  ２４時間：台詞「来てくれたんだね。」
２４〜  ９６時間：台詞「会いたかったよ。」
９６〜１６８時間：台詞「ひさしぶりだね。」
１６８時間以上  ：台詞「ずいぶんひさしぶりだね。」
【００２３】
今回アクセスした時刻に関し、
６〜１２時：台詞「おはよう」
１２〜１８時：台詞「元気？」
１８〜２４時：台詞「夕ご飯たべた？」
２４〜翌６時：台詞「眠れないの」
【００２４】
これらの台詞は、同一の経過時間やアクセス時刻について多数個登録しておき、アクセスが短時間に繰り返されても同じ台詞を出力させないことが望ましい。また、祭壇２および返礼台詞の表示に続いて、ミサ曲や賛美歌などの曲目を自動出力し、更に所定時間を経過すれば法事が終了するように設定してもよい。
【００２５】
図３において、例えば、祭壇２（図８）を表示すると同時に、線香立て６およびロウソク７，７を固定表示するけれども、花４またはしきび５は、30分経過ごとに満開から散りはてまでの４段階で状態を変化させるため、サーバ側にそれぞれ４段階の花の画像を保存している。供物１については、初期登録で好物が何か入力されていれば、供物１（図８）として単なる箱で表示する。線香立ておよびロウソクは、花４と同時に４段階で画面表示してもよく、花またはしきびを固定表示することも可能である。
【００２６】
図３の法事処理では、返礼台詞が消失した後に、祭壇２とペット写真を表示して法事を営んでいる際に、Ｓ３５で施主が各種のアクションを選択することができる。この選択処理は、一般の法事において発生しがちな単調さを回避し、ペットの法事に参加しているという強い意識を与えるために設定する。アップしたペット写真の前で、段々と枯れていく花４や水８を取り替えることで擬似お参りができ、遊び心を含めて亡きペットの想いを癒すことや、いつもペットが傍に居るという感覚などを与える。
【００２７】
アクション処理の一例を下記に示す。一般に、各アクション処理の選択は、祭壇画面に設けた選択ボタンをクリックして、下記のような処理を表示したポップアップウインドウを起動させることによって行う（図１０（４）および（６）参照）。
１．水をあげる
２．花を取り替える
３．お供え物をする
４．お経をあげる
５．祭壇を立ち去る
【００２８】
お椀の中の水８（図８）は、１時間経過ごとに満タン状態から枯渇状態まで５段階変化させるため、サーバ側にそれぞれ５段階の水の画像を保存している。「水をあげる」をクリックすると、どの状態からでも満タン状態の水画像に戻る。「花を取り替える」をクリックすると、花４の画像はどの状態からでも満開状態の画像に戻る。「お供え物をする」をクリックすると、登録されたペットの種類に応じた好物２種のうちのいずれかを表示し、２種の好物として「犬」では肉と骨、「猫」では魚とマタタビ、「鳥」では木の実とパンくず、「うさぎ」ではニンジンとキャベツ、「亀」ではレプトミンと小魚、「ハムスター」ではヒマワリの種とサツマイモの画像を保存している。
【００２９】
また、「お経をあげる」をクリックすると、お経の音声が約１０秒間出力され、同時間だけ読経中の動画を画面表示する。この動画は液晶画面の全体であっても、液晶画面の下半分に表示し、上半分にペットの画像を残してもよい。お経の音声が終了すると、ペットの画像を再表示し、第２の返礼台詞「ありがとう」を数秒間画面表示および／または音声出力する。第２の返礼台詞は、全てのアクションの後に数秒間画面表示および／または音声出力してもよい。第２の返礼台詞について、登録されたペットの性格ごとに４パターン保存し、その性格に応じたお礼を表示させると好ましい。第２の返礼台詞の保存パターンをさらに増やし、アクション選択処理が連続した際に同じ台詞が連続表示されることを回避したり、追加の台詞として「のどが渇いてたんだ」、「きれいになったね」などを加えてもよい。
【００３０】
法事において発生しがちな単調さを回避するために、コンピュータグラフィック処理によってペットの表情を適宜変化させた画像を保存し、変化した各表情を連続画像として、祭壇２に経時的に表示させてもよく、法事終了時には穏やかな表情になるように設定すると好ましい。また、祭壇２とペットのイメージ画像とを交互に連続表示することにより、ペットの一体感を高めるように加工してもよい。
【００３１】
さらに、「祭壇を立ち去る」をクリックすると、Ｓ３６で法事終了がＹＥＳになってペット法事が終了する。Ｓ３７において、今回アクセスの日時および返礼台詞の内容などを本会員登録データベースに書き込むと供養処理が完了する。
【００３２】
図４は、ペットからのメール配信過程を示すフローチャートであり、一定期間アクセスがないときに、霊園サーバから登録会員へアクセス要求メールを自動配信する。サーバ側において、Ｓ４１で本会員登録データベースの全データを日に一度逐次処理する。Ｓ４２で各会員の前回アクセス日から本日までを日数計算し、その日数が７日、３０日、６０日、９０日などの所定期日であれば（Ｓ４３）、Ｓ４４において登録ペットデータベースからペットの性格を読み込んでメール文を作成し、所望に応じてＳ４５で時事事項を追加する。作成されたメール文は、メールサーバを介してインターネットに発信され、さらに登録会員のアドレスへ自動配信される。この結果、一定期間アクセスのない登録会員に対して、天国のペットからメールが来るような送信処理になる。この時事事項についてのメール文とは、季節に関して「暖かくなったね」とか「暑くなったね」など、気候に関して「桜が咲き始めたね」とか「台風が近づいてきたね」など、時事に関して「米国の大統領選挙が近づいてきたね」とか「今年は参議院議員選挙だね」などが例示できる。
【００３３】
アクセス要求メールの内容は、登録されたペットの性格に応じて５パターンずつを作成し、ランダムに選択して配信すればよい。前回アクセス日からの日数について、例えば、ペットの性格が「おとなしい」ならば、
日数  ７日：台詞「そろそろ会いに来てよ」
日数３０日：台詞「最近来ないね」
日数６０日：台詞「あえなくて、寂しいな」
日数９０日：台詞「どうしてる？」
日数１２０日：台詞「僕のこと忘れちゃった？」
【００３４】
また、ペットの性格が「やんちゃ」ならば、
日数  ７日：台詞「そろそろ会いに来てよ」
日数３０日：台詞「最近来ねえじゃん」
日数６０日：台詞「まだ来てくれないの」
日数９０日：台詞「どうしてる？」
日数１２０日：台詞「まさか忘れたの？」
【００３５】
このような台詞は、所定期間が経過すれば変更してもよく、会員の反応を見て適宜変更したり、会員側から任意に登録することも可能である。また、ペットの性格が特殊であれば、その都度適切な台詞を作成して保存すればよい。図示しないけれども、アクセス要求メールに応じて会員のお参りがあれば、その翌日に供養お礼のメールを自動配信するように設定してもよい。
【００３６】
図４において、アクセス要求メールの配信日でないならば、Ｓ４６でペット命日などの祭日まで日数を計算し、その日数が７日前、１５日前、３０日前などの連絡期日であれば（Ｓ４７）、Ｓ４８において登録ペットデータベースからペットの性格を読み込んでメール文を作成し、所望に応じてＳ４９で時事事項を追加して、登録会員に対して祭日確認メールの送信処理を行う。
【００３７】
祭日確認メールの台詞は、ペットの性格を加味して作成する。その一例は「来週の日曜は僕の命日。覚えてた？」であり、会員の反応を見て適宜変更したり、会員側から任意に登録することも可能である。図４の自動配信処理では、アクセス要求メールと祭日確認メールを同時に送信することはないけれども、両メールを同日に送信可能としたり、送信日が同日ならば祭日確認メールを翌日に繰り越すような処理を行ってもよい。
【発明の効果】
【００３８】
本発明に係るバーチャル供養方法は、専ら携帯端末によって亡きペットをプライベートに供養でき、他人の目を気にすることなく、飼い主である施主とペットとの絆を維持し、飼い主の心のよりどころであるペットがいつまでも身近にいる気分になれる。本発明のバーチャル供養方法でペットの法事を定期的に営むことにより、可愛がっていたペットが死亡するという飼い主の精神的ショックを和らげ、ペットの死によって食欲不振や抑うつ状態に陥る「ペットロス」という精神的な痛手から次第に解放することになる。
【００３９】
本発明のバーチャル供養方法では、ペットの返礼台詞がアクセス時および各選択処理の終了時に画面表示または音声出力されるうえに、その返礼台詞は、前回アクセスからの経過期間、アクセス時間帯およびアクセス回数などに応じて常に変化する。飼い主であった施主がペット霊園サイトにアクセスすると、単にサイトを閲覧するだけでなく、ペットからの返礼を擬似的に受け取り、さらに水，供花や供物が経時的に変化することにより、いつもペットと一緒にいる気分になって人生の伴侶とも言えるペットの死の辛さを克服することができる。
【００４０】
本発明のバーチャル供養方法は、経文，ミサ曲などの曲目およびこれに相応しい画面を画面表示または音声出力することにより、通常の法事における単調さを回避する。また、サイト登録によって、一定期間アクセスしないとペットから個性的なアクセス要求メールが配信され、亡きペットの性格などを想い出し、ペットの死による精神的な痛手を癒すことになる。ペットの命日や飼い主の誕生日などの祭日には、ペットから祭日確認メールが事前に配信されるので、亡きペットとの一体感を再認識できる。
【実施例１】
【００４１】
次に、本発明の一部を実施例に基づいて概略的に説明するが、本発明は実施例に限定されるものではない。
【００４２】
図１０は、登録会員がペット霊園サイトにおいて会員ＩＤとパスワードを記入し、亡きペットの法事を営む時に、図１１に示すような携帯端末に表示される画面を順次例示している。この登録会員について、亡きペットは３匹であり、その１匹は小型犬で生前の名前は「ぺろちゃん」であり、好物は記入しておらず、選定した祭壇は図番１３（図８参照）である。また、当該ペットの写真はアップロードされておらず、図９に示す代替イラストから小型犬のイラスト２０を選択している。
【００４３】
以上のデータから、この登録会員が亡きペットの法事を営む際にまず図１０（１）の画面が表示されるので、「ぺろちゃん」についてお参りすることを確定させる。供養すべき「ぺろちゃん」が選択されると、図１０（２）において祭壇１３の画像内にイラスト２０を嵌め込んで画面表示する。祭壇１３において、線香立て６およびロウソク７，７を固定配置し、画面表示時に花４は枯れた状態であり、好物も供えられていない。「ぺろちゃん」の画像表示とともに、返礼台詞２２を画面表示する。
【００４４】
返礼台詞２２に関して、前回アクセスの日時から経過時間は２４時間未満であり、今回アクセスした時刻は１８〜２４時である。このため、「ぺろちゃん」の返礼台詞２２は「夕ご飯たべた？」および「来てくれたんだね。」になる。返礼台詞２２は所定時刻が経過すると消失し、画面は図１０（３）になる。
【００４５】
法事を営んでいる際に、施主である登録会員は各種のアクションを選択することができる。アクション処理の選択は、祭壇画面に設けた選択ボタン（図示しない）をクリックして、ポップアップウインドウ２４を起動させることによって行う。図１０（４）において、ポップアップウインドウ２４における「花を取り替える」をクリックすると、花４は枯れた状態から満開状態になる。
【００４６】
図１０（６）において、ポップアップウインドウ２４における「お供え物をする」をクリックすると、「ぺろちゃん」は小型犬であるから、骨のお供え２６が表示される。また、ポップアップウインドウ２４において、「祭壇を立ち去る」をクリックすると、「ぺろちゃん」の法事が終了する。
【図面の簡単な説明】
【００４７】
【図１】ペット霊園サイトへの会員登録を示す概略フローチャートである。
【図２】施主である会員のペットの新規登録を示す概略フローチャートである。
【図３】施主である会員のペットの法事過程を示すフローチャートである。
【図４】ペットからのメール送信過程を示すサーバ側のフローチャートである。
【図５】携帯端末に表示するペットクラブのホームページの平面図である。
【図６】会員登録の際の表示画面を示す平面図である。
【図７】ペット霊園サイトに入る際に表示される画面の平面図である。
【図８】携帯端末に表示する祭壇の画像を、ペット写真を嵌め込んだ例とともに示す平面図である。
【図９】ペット写真が無い場合に代替えとして用いるペットイラストの平面図である。
【図１０】ペット霊園サイトにおけるペットの法事に際して表示される画面の一例を示す説明図である。
【図１１】本発明方法を実施する携帯端末の一例を示す平面図である。
【符号の説明】
【００４８】
１    供物
２    祭壇
３    矩形空白
４    花
５    しきび
６    線香立て
７    ロウソク
８    水
【図１】
2005352941.tif 000003
【図２】
2005352941.tif 000004
【図３】
2005352941.tif 000005
【図４】
2005352941.tif 000006
【図５】
2005352941.tif 000007
【図６】
2005352941.tif 000008
【図７】
2005352941.tif 000009
【図８】
2005352941.tif 000010
【図９】
2005352941.tif 000011
【図１０】
2005352941.tif 000012
【図１１】
2005352941.tif 000013